(57)【要約】 【課題】位置ずれを起こすことなく搬送パイプを保持することができる遊技球搬送パイプの固定構造を提供する。【解決手段】複数本の遊技球の搬送パイプ１と、該搬送パイプ１が挿入される複数の筒状部３が形成された挿入部材２と、筒状部３に挿し込まれた搬送パイプ１を移動不能に係止する固定部材４とからなり、複数の筒状部３を、所定の間隔で配置された仕切り壁２２と、これに直交して対向する一対の側壁２３とにより一列に形成して、当該側壁２３に固定部材４の挿し込み用の開口部２４を設け、搬送パイプ１の外側には、前記開口部２４に対応する位置に係止用の凹部１１を設け、固定部材４には、前記開口部２４に挿し込まれて搬送パイプ１の凹部１１に係合する係止突起４３を設けた。【選択図】    図１
2007111342.tif 000002
【特許請求の範囲】
【請求項１】
遊技球の搬送パイプと、該搬送パイプが挿入される筒状部が形成された挿入部材と、筒状部に挿し込まれた搬送パイプを移動不能に係止する固定部材と、からなる遊技球搬送パイプの固定構造であって、
筒状部を、所定の間隔で配置された仕切り壁と、これに直交して対向する一対の側壁とにより一列に形成して、当該側壁に固定部材挿し込み用の開口部を設け、
搬送パイプの外側には、前記開口部に対応する位置に係止用の凹部を設け、
固定部材には、前記開口部に挿し込まれて搬送パイプの凹部に係合する係止突起を設けたことを特徴とする遊技球搬送パイプの固定構造。
【請求項２】
複数本の遊技球の搬送パイプと、該搬送パイプが挿入される複数の筒状部が形成された挿入部材と、筒状部に挿し込まれた搬送パイプを移動不能に係止する固定部材と、からなる遊技球搬送パイプの固定構造であって、
複数の筒状部を、所定の間隔で配置された仕切り壁と、これに直交して対向する一対の側壁とにより一列に形成して、当該側壁に固定部材挿し込み用の開口部を設け、
搬送パイプの外側には、前記開口部に対応する位置に係止用の凹部を設け、
固定部材には、前記開口部に挿し込まれて搬送パイプの凹部に係合する係止突起を設けたことを特徴とする遊技球搬送パイプの固定構造。
【請求項３】
前記開口部を、筒状部間の仕切り壁を跨ぐ位置の側壁に設けるとともに、仕切り壁には、固定部材の係止突起が嵌め込まれる切欠き部を設けたうえに、
固定部材には、開口部の位置と数に対応して係止突起を一列に配置したことを特徴とする請求項１又は２に記載の遊技球搬送パイプの固定構造。
【請求項４】
搬送パイプの外面に、凹部を円弧状又は環状に形成したことを特徴とする請求項１〜３に記載の遊技球搬送パイプの固定構造。
【発明の詳細な説明】
【技術分野】
【０００１】
本発明は、パチンコ機に用いられる遊技球を搬送する搬送パイプを固定するための、遊技球搬送パイプの固定構造に関するものである。
【背景技術】
【０００２】
パチンコ機設置島の下部には、特許文献１に示されているような球揚送装置が配設され、この球揚送装置から設置島上部に配した上部タンクにまで遊技球が複数の搬送パイプを用いて揚送される。搬送パイプの下端は取り付け金具により揚送装置本体に固定されている。このような搬送パイプの従来の固定構造として、特許文献２に開示されたものがある。この開示に係る搬送パイプの固定構造は、搬送パイプを弾性的に与圧しつつ緩衝部材で保持し、且つこのような搬送パイプと緩衝部材とを固定用部材に収容した状態で、この固定用部材を球揚送装置から上部球タンクにかけて配設されたＣ型チャンネル型鋼などの構造部材に取り付けたものである。
【０００３】
しかしながら、上記した固定構造においては、搬送パイプを緩衝部材で押さえつけて挟持しているだけであるので、緩衝部材の劣化による締め付け力の低下、球揚送に起因する振動などによって、搬送パイプが上下方向に位置ずれして球の円滑な揚送に支障を来たすことがあった。
【特許文献１】特開２００３−１０５１３号公報  (図１)
【特許文献２】特開２００１−１２９２１７号公報  (図１)
【発明の開示】
【発明が解決しようとする課題】
【０００４】
本発明は、上記した従来の問題点に鑑み、位置ずれを起こすことなく搬送パイプを保持することができる遊技球搬送パイプの固定構造を提供することを課題とする。
【課題を解決するための手段】
【０００５】
上記の課題を解決するためになされた本発明の搬送パイプの固定構造は、遊技球の搬送パイプと、該搬送パイプが挿入される筒状部が形成された挿入部材と、筒状部に挿し込まれた搬送パイプを移動不能に係止する固定部材と、からなる遊技球搬送パイプの固定構造であって、
筒状部を、所定の間隔で配置された仕切り壁と、これに直交して対向する一対の側壁とにより一列に形成して、当該側壁に固定部材挿し込み用の開口部を設け、
搬送パイプの外側には、前記開口部に対応する位置に係止用の凹部を設け、
固定部材には、前記開口部に挿し込まれて搬送パイプの凹部に係合する係止突起を設けたことを特徴とするものである。
【０００６】
また、本発明の搬送パイプの固定構造は、複数本の遊技球の搬送パイプと、該搬送パイプが挿入される複数の筒状部が形成された挿入部材と、筒状部に挿し込まれた搬送パイプを移動不能に係止する固定部材と、からなる遊技球搬送パイプの固定構造であって、
複数の筒状部を、所定の間隔で配置された仕切り壁と、これに直交して対向する一対の側壁とにより一列に形成して、当該側壁に固定部材挿し込み用の開口部を設け、
搬送パイプの外側には、前記開口部に対応する位置に係止用の凹部を設け、
固定部材には、前記開口部に挿し込まれて搬送パイプの凹部に係合する係止突起を設けたことを特徴とするものである。
【０００７】
上記した発明において、前記開口部を、筒状部間の仕切り壁を跨ぐ位置の側壁に設けるとともに、仕切り壁には、固定部材の係止突起が嵌め込まれる切欠き部を設けたうえに、
固定部材には、開口部の位置と数に対応して係止突起を一列に配置することができる。
また、搬送パイプの外面に、凹部を円弧状又は環状に形成することができる。
【発明の効果】
【０００８】
請求項１に係る発明は、挿入部材の側壁に設けた開口部に固定部材の係止突起を差し込んで、挿入部材に挿入されている搬送パイプの凹部と係合させることにより、搬送パイプを上下方向に移動することなく固定することができる。
請求項２にかかる発明は、複数本の搬送パイプを用いるので、球を高速で搬送することができる。
請求項３に係る発明は、筒状部に挿入された搬送パイプを、左右の仕切り壁の切欠き部に嵌め込まれた係止突起で係止するので、搬送パイプをがたつくことなく固定することができる。
請求項４に係る発明は、搬送パイプの外面に凹部を容易に形成することができる。
【発明を実施するための最良の形態】
【０００９】
以下に、本発明の実施形態を図により説明する。図１において、１は外形角型の搬送パイプ、２は搬送パイプ１を挿入して保持するための筒状部３が形成された挿入部材、４は搬送パイプ１の固定部材である。
【００１０】
挿入部材２は、揚送装置本体(図示していない)に固定される基板２１と、基板２１に立設された複数枚の仕切り壁２２と、この仕切り壁２２に直交して対向して配置された一対の側壁２３とからなる。仕切り壁２２は遊技球が通過可能な所定間隔をおいて平行に配置されており、且つ両側の側壁２３に固定されていて、これによって筒状部３が一列に形成されている。
【００１１】
側壁２３には、角型の開口部２４が設けられているが、この開口部２４は、図２に示すように隣接する筒状部３の間の仕切り壁２２を跨ぐ位置に形成されており、開口部２４間には上下方向にブリッジ２５が形成されている。そして、仕切り壁２２には、開口部２４が位置する部位に、開口部２４の縦幅と同じ縦幅の切欠き部２６が形成されている。
【００１２】
搬送パイプ１の外面のコーナー部には、図２にも示すように円弧状に凹部１１が形成されている。凹部１１は、搬送パイプ１が挿入部材２に差し込まれたときにちょうど開口部２４に位置する部位に設けられており、この凹部１１の縦方向の幅は、開口部２４の縦幅と同じとしてある。
【００１３】
固定部材４は、水平状の固定部材本体４１と、この下面に立設されて固定部材４を挿入部材２に螺着するための取付板４２とからなる。固定部材本体４１には、開口部２４に挿入されて仕切り壁２２の切欠き部２６に嵌め込まれる係止突起４３が、開口部２４の水平方向の位置と数に対応して横一列に形成されている。隣の係止突起４３との間には凹状部４４が形成されている。係止突起４３は開口部２４、切欠き部２６、並びに搬送パイプ１の凹部１１にちょうど嵌め込まれる厚さとしてあって、係止突起４３をこれらに嵌め込んだときに、がたつきや位置ずれが生ずるのを防止してある。
【００１４】
図３に示すように、前記係止突起４３には、その左右に搬送パイプ１の凹部１１の円弧に当接される円弧状の湾曲面４５が設けられている。また、凹状部４４の底部にはブリッジ２５の嵌合凹部４６が形成されている。係合突起４３を開口部２４から仕切り壁２２の切欠き部２６に嵌め込んだときには、図４に示すように、嵌合凹部４６にブリッジ２５が嵌め込まれるとともに、係合突起４３が搬送パイプ１の凹部１１に嵌め込まれて凹部１１の円弧に係合突起４３の湾曲面４５が当接されて搬送パイプ１を挟持するので、搬送パイプ１をがたつくことなく筒状部３内に移動不能に固定することができる。
【００１５】
以上のような搬送パイプの固定構造において、通常は搬送パイプ１を複数本用いるが、搬送パイプを一本のみとすることができ、これに対応して筒状部３も一本のみとすることができる。
【００１６】
なお、搬送パイプ１は角型に限定されるものではなく、円形パイプを用いることもできる。この場合には、図５、６に示すように外周面に凹部１１を環状に形成することができる。また、角型パイプ１が肉厚である場合には、図７、８に示すように、外面を周回して環状に凹部１１を形成することもできる。
【００１７】
以上のような構造とした搬送パイプの固定構造において、搬送パイプ１を取り付けるに際しては先ず挿入部材２の基板２１を揚送装置本体にねじ止めしたうえで、筒状部３に所要本数の搬送パイプ１を挿入する。次いで、挿入部材２の両側から固定部材４の係合突起４３を開口部２４に差し込めば、係合突起４３が搬送パイプ１の凹部１１と係合して搬送パイプ１を係止することができる。その後、固定部材４の取付板４２を挿入部材２の側壁２３にねじ止めすることによって、搬送パイプ１を移動不可能にして挿入部材２に固定することができる。なお、開口部２４を挿入部材２の一側のみに設け、固定部材４を挿入部材２の一側のみにて用いても搬送パイプ１を挿入部材２に移動不能に固定することができる。
【図面の簡単な説明】
【００１８】
【図１】本発明に係る遊技球搬送パイプの固定構造を示す分解斜視図である。
【図２】凹部における搬送パイプと開口部における挿入部材の水平断面図である。
【図３】搬送パイプが挿入された挿入部材に、固定部材を装着する前の状態を示す平面図である。
【図４】搬送パイプが固定部材により固定された状態を示す平面図である。
【図５】凹部を環状に設けた円形パイプの斜視図である。
【図６】図５の円形パイプの凹部における水平断面図である。
【図７】凹部を環状に設けた角型パイプの斜視図である。
【図８】図７の角型パイプの凹部における水平断面図である。
【符号の説明】
【００１９】
１  搬送パイプ、２  挿入部材、３  筒状部、４  固定部材、１１  凹部、２２  仕切り壁、２３  側壁、２４  開口部、４３  係止突起
【図１】
2007111342.tif 000003
【図２】
2007111342.tif 000004
【図３】
2007111342.tif 000005
【図４】
2007111342.tif 000006
【図５】
2007111342.tif 000007
【図６】
2007111342.tif 000008
【図７】
2007111342.tif 000009
【図８】
2007111342.tif 000010